(57)【特許請求の範囲】
【請求項１】
基板が収容された基板ケースを遊技機に取り付ける遊技機用基板ケース取付装置において、
前記遊技機側に設けられた複数の突起と、
前記基板ケースに形成され、前記複数の突起がそれぞれ差し込み可能とされた差込部および逃がし孔と、を備え、
前記複数の突起の少なくとも１つと前記差込部とが互いに係合することにより前記基板ケースが引き抜き不可能な状態で前記遊技機に対して取り付けられ、
前記基板ケースを取り外すことにより前記差込部と係合していた前記突起のみが破壊されることを特徴とする遊技機用基板ケース取付装置。
【請求項２】
前記複数の突起を備える固定台が前記遊技機に取り付けられ、
前記固定台が交換可能とされていることを特徴とする請求項１に記載の遊技機用基板ケース取付装置。
【請求項３】
前記複数の突起は直線状に配列され、
前記基板ケースには、前記差込部および前記逃がし孔が前記複数の突起の配列間隔に対応した間隔で直線状に配置されていることを特徴とする請求項１または２に記載の遊技機用基板ケース取付装置。
【請求項４】
基板が収容された基板ケースを遊技機に取り付ける遊技機用基板ケース取付装置において、
前記遊技機側に設けられた複数の突起と、
前記基板ケースに形成され、前記個々の突起に対応する複数の逃がし孔と、を備え、
所定の逃がし孔に取り付けられたアダプターと対応する所定の突起とが互いに係合することにより前記基板ケースが引き抜き不可能な状態で前記遊技機に対して取り付けられ、
前記基板ケースを取り外すことにより前記アダプターと係合していた前記突起のみが破壊されることを特徴とする遊技機用基板ケース取付装置。
【請求項５】
基板が収容された基板ケースを遊技機に取り付ける遊技機用基板ケース取付装置において、
前記遊技機側に設けられた複数の突起と、
前記基板ケースに形成された逃がし孔と、を備え、
それぞれの前記突起に対応して用意されたアダプターを前記逃がし孔に取り付けることにより、前記アダプターと前記アダプターに対応する前記突起とが互いに係合して前記基板ケースが引き抜き不可能な状態で前記遊技機に対して取り付けられ、前記基板ケースを取り外すことにより前記アダプターと係合していた前記突起のみが破壊されることを特徴とする遊技機用基板ケース取付装置。
【発明の詳細な説明】
【０００１】
【発明の属する技術分野】
本発明は、ＲＯＭ等が実装された基板を収容するとともに、パチンコやパチスロ等の遊技機に取り付けられ、より詳細には、収容される基板に対する不正なＲＯＭ交換等の不正行為を防止するための遊技機用基板ケースに関する。
【０００２】
【従来の技術】
従来から、パチンコやパチスロ等の遊技機の基板に対し、不正ＲＯＭ交換等の不正行為が行われている。このような不正行為を防止するため、基板が収納された基板ケース自体を遊技機の筐体から取り外せないようにする方法が有効である。特開平１１−１６９５３６号公報には、基板ケース自体を遊技機の筐体から取り外しにくくしたものが開示されている。ここでは、基板ケース取付台を筐体に設けるとともに、基板ケースを係止部材（金属の棒状体）によって基板ケース取付台に取り付けるようにしている。そして、係止部材はキーによりロックされる。
【０００３】
【発明が解決しようとする課題】
しかしながら、特開平１１−１６９５３６号公報に記載されたものでは、キーをロックすることにより基板ケースの取り外しを禁止するようにしているため、逆にキーを入手しさえすれば、極めて容易に基板ケースを不正に取り外すことができてしまう。
【０００４】
本発明は、キーによるロックに頼ることなく、不正行為の痕跡が明瞭に残ることにより不正行為を効果的に防止できる遊技機用基板ケース取付装置を提供することを目的とする。
【０００５】
【課題を解決する手段】
【０００９】
請求項１に記載の発明は、基板（３）が収容された基板ケース（２）を遊技機に取り付ける遊技機用基板ケース取付装置において、遊技機側に設けられた複数の突起（１１ａ〜１１ｈ）と、基板ケース（２）に形成され、複数の突起（１１ａ〜１１ｈ）がそれぞれ差し込み可能とされた差込部（２３）および逃がし孔（２４）と、を備え、複数の突起（１１ａ〜１１ｈ）の少なくとも１つと差込部（２３）とが互いに係合することにより基板ケース（２）が引き抜き不可能な状態で遊技機に対して取り付けられ、基板ケース（２）を取り外すことにより差込部（２３）と係合していた突起（１１ａ〜１１ｈ）のみが破壊されることを特徴とする。
【００１０】
この発明によれば、突起（１１ａ〜１１ｈ）の少なくとも１つと差込部（２３）とが互いに係合することにより基板ケース（２）が引き抜き不可能な状態となるので、不正に基板ケース（２）を取り外したときの痕跡が残る。したがって、不正行為を効果的に防止できる。また、基板ケースを付け替えるたびに基板ケース（２）の位置が変更されるため、基板ケースの取り外し回数を容易に認識することができる。
【００１１】
請求項２に記載の発明は、請求項１に記載の遊技機用基板ケース取付装置において、複数の突起（１１ａ〜１１ｈ）を備える固定台（１）が遊技機に取り付けられ、固定台（１）が交換可能とされていることを特徴とする。
【００１２】
この発明によれば、複数の突起（１１ａ〜１１ｈ）を備える固定台（１）が交換可能とされているので、正規の理由等により基板ケースが取り外されて固定台（１）の突起（１１ａ〜１１ｈ）がすべて破壊された場合に、固定台（１）を交換することができるので、基板ケースの取り外し回数が制限されない。
【００１３】
請求項３に記載の発明は、請求項１または２に記載の遊戯機用基板ケース取付装置において、複数の突起（１１ａ〜１１ｈ）は直線状に配列され、基板ケース（２）には、差込部（２）および逃がし孔（２４）が複数の突起（１１ａ〜１１ｈ）の配列間隔に対応した間隔で直線状に配置されていることを特徴とする。
【００１４】
請求項４に記載の発明は、基板（３）が収容された基板ケース（１０２）を遊技機に取り付ける遊技機用基板ケース取付装置において、遊技機側に設けられた複数の突起（１１ａ〜１１ｈ）と、基板ケース（２）に形成され、個々の突起（１１ａ〜１１ｈ）に対応する複数の逃がし孔（１２４ａ〜１２４ｈ）と、を備え、所定の逃がし孔（１２４ａ〜１２４ｈ）に取り付けられたアダプター（１２５）と対応する所定の突起（１１ａ〜１１ｂ）とが互いに係合することにより基板ケース（２）が引き抜き不可能な状態で遊技機に対して取り付けられ、基板ケース（２）を取り外すことによりアダプター（１２５）と係合していた突起（１１ａ〜１１ｈ）のみが破壊されることを特徴とする。
【００１５】
この発明によれば、突起（１１ａ〜１１ｈ）と逃がし孔（１２４ａ〜１２４ｈ）とがアダプター（１２５）を介して互いに係合することにより基板ケース（２）が引き抜き不可能な状態となるので、不正に基板ケース（２）を取り外したときの痕跡が残る。したがって、不正行為を効果的に防止できる。また、所定の逃がし孔（１２４ａ〜１２４ｈ）に取り付けられたアダプター（１２５）を介して所定の逃がし孔（１２４ａ〜１２４ｈ）とこれに対応する所定の突起（１１ａ〜１１ｈ）とが互いに係合するので、逃がし孔（１２４ａ〜１２４ｈ）および突起（１１ａ〜１１ｈ）の位置関係を調整することにより、基板ケースの取り付け位置を任意に設定することができる。
【００１７】
請求項５に記載の発明は、基板が収容された基板ケースを遊技機に取り付ける遊技機用基板ケース取付装置において、遊技機側に設けられた複数の突起と、基板ケースに形成された逃がし孔と、を備え、それぞれの突起に対応して用意されたアダプターを逃がし孔に取り付けることにより、アダプターとアダプターに対応する突起とが互いに係合して基板ケースが引き抜き不可能な状態で前記遊技機に対して取り付けられ、基板ケースを取り外すことによりアダプターと係合していた突起のみが破壊されることを特徴とする。
【００１８】
なお、本発明の理解を容易にするために添付図面の参照符号を括弧書きにて付記するが、それにより本発明が図示の形態に限定されるものではない。
【００１９】
【発明の実施の形態】
−第１の実施形態−
以下、図１〜図９を参照して、本発明による遊技機用基板ケースの一実施形態について説明する。本実施形態の遊技機用基板ケースは、例えば、スロットマシン等の遊技機に取り付けられる。
【００２０】
以下、図６〜図９を用いて、本発明の遊戯用基板ケースが取り付けられるスロットマシンを説明する。
【００２１】
図中、１００はスロットマシンを示し、スロットマシン１００は、スロットマシン本体１００ａと、この本体１００ａに開閉可能に取り付けられた前面扉１００ｂとを備える。
【００２２】
本体１００ａ内には、その中段に、３個のリール１０４，１０５，１０６が収容され、本体１００ａ内の上部背面には固定台１が固定され、さらに固定台１に基板ケース２が取り付けられる。固定台１および基板ケース２については後述する。また、本体１００ａ内の下部には、ホッパー１２０が収容されている。
【００２３】
前面扉１００ｂには、ストップスイッチ１０７，１０８，１０９が設けられ、ストップスイッチ１０７，１０８，１０９は、リール１０４，１０５，１０６のそれぞれに対応しており、上記ストップスイッチの操作により上記リールの回転を停止させる。さらに、前面扉１００ｂには、リール１０４，１０５，１０６の回転を開始させるスタートレバー１０２、および上記リールの絵柄（図柄）を表示するための透明なアクリル板等から形成される絵柄表示窓１１０，１１１，１１２が、それぞれ設けられる。
【００２４】
遊技者がスタートレバー１０２を操作すると、これにより３個のリール１０４，１０５，１０６の回転が開始され、回転中のリール１０４，１０５，１０６を停止させるときには、遊技者が対応するストップスイッチ１０７，１０８，１０９をそれぞれ押すことにより個々のリールが停止される。
【００２５】
遊技者は、ストップスイッチ１０７，１０８，１０９を押すタイミングをはかるなどして、特定の絵柄の組合わせパターンが、あらかじめ定められた基準線上に出現するようにリールを停止できたときに、所定数のメダルが払出口１１７から払い出される。
【００２６】
さらに、前面扉１００ｂの絵柄表示窓１１０，１１１，１１２とストップスイッチ１０７，１０８，１０９との間に、メダル数量表示部１１３，１１４，１１５が形成されている。メダル数量表示部１１３，１１４，１１５の裏側には７セグメントによる数字表示装置（不図示）がそれぞれ配設される。この数字表示装置によって、３つの数字表示窓に、それぞれクレジット枚数および払出枚数が表示される。また、前面扉１００ｂ上部には、左右対象にスピーカ１１８，１１９が設けられ、ゲームの進行に応じて効果音等が発生される。
【００２７】
図１は遊技機に取り付けられる固定台１（図９参照）を示す斜視図である。固定台１のプレート１０には、全部で８つの樹脂製のカシメフック１１ａ〜１１ｈが突設される。固定台１はプレート１０に形成された２つのねじ孔１２に貫通されるねじ１３により、遊技機に取り付けられる。ねじ１３としてワンウェイねじを用いたり、あるいはねじ１３の位置をねじ頭が後述する基板ケース２により覆い隠されるように設定することにより、固定台１と基板ケース２とを遊技機から一体的に取り外すことが不可能となる。プレート１０にはさらに、基板ケース２に当接されるスペーサ１４が突設されている。
【００２８】
図２（ａ）は固定台１に対して取り付けられる基板ケース２を示す側面図であり、図２（ｂ）は基板ケース２の正面図である。基板ケース２は固定台１に対向して取り付けられるベース２１と、ベース２１に取り付けられるカバー２２とを備える。図２（ａ）に示すように、ベース２１およびカバー２２の間に形成される空間には、例えばＲＯＭが実装された基板３が収容される。基板３は、基板３を貫通するねじ３１およびねじ３１が貫通されるスペーサ３２を介してベース２１とカバー２２との間に挟み込まれるようにして取り付けられる。
【００２９】
図２（ｂ）に示すように、ベース２１には固定台１のカシメフック１１ａ〜１１ｈが係合される一対のカシメフック取付孔２３と、カシメフック取付孔２３に挿入されていないその他のカシメフック１１ａ〜１１ｈを逃がすための全部で６個の逃がし孔２４とが形成されている。カシメフック取付孔２３および逃がし孔２４の配列ピッチはカシメフック１１ａ〜１１ｈの配列ピッチに対応している。
【００３０】
図３は固定台１に対する基板ケース２の取付方法を示す図であり、図２（ｂ）における下方側から見たカシメフック１１ａ〜１１ｈの周辺を示している。図３（ａ）は基板ケース２を固定台１に最初に取り付けた状態を示しており、基板ケース２のカシメフック取付孔２３にはカシメフック１１ａおよびカシメフック１１ｅが挿入されている。本実施形態では、基板ケース２を固定台１に向けて押し込むだけで、カシメフック１１ａおよびカシメフック１１ｅの爪１５が変形してカシメフック１１ａ〜１１ｈよりも幅（図３（ａ）における「Ａ」に相当）の狭いカシメフック取付孔２３内に入り込む。爪１５が基板ケース２内に完全に入り込むと、復元力により元の状態に開いた爪１５が基板ケース２と係合するため、基板ケース２を固定台１から取り外すことができなくなる。
【００３１】
一方、カシメフック１１ａ〜１１ｈよりも幅（図３（ａ）における「Ｂ」に相当）の広い逃がし孔２４には、その他のカシメフックの爪１５が基板ケース２に接触することなく挿入される。
【００３２】
正規の理由により基板ケース２を取り外す場合には、基板ケース２を手前に引くことによりカシメ状態にあるカシメフック１１ａおよびカシメフック１１ｅを破壊する。これにより、基板ケース２を固定板１から取り外すことができる。
【００３３】
再度、基板ケース２を固定板１に取り付ける場合には、カシメフック取付孔２３をカシメフック１１ｂおよびカシメフック１１ｆに対向させるようにして、基板ケース２を固定板１に向けて押し込む。これにより、図３（ｂ）に示すように基板ケース２はカシメフック１１ａ〜１１ｈの１ピッチ分だけずれた位置において、固定板１に対し取り付けられる。カシメフック１１ｂおよび１１ｆ以外のカシメフックは、逃がし孔２４に挿入される。
【００３４】
このように、基板ケース２を付け替えるごとに基板ケース２の位置が順次ずれてゆき、カシメフック１１ａ〜１１ｈが２個ずつ破壊される。基板ケース２の取り付け可能回数は、カシメフック１１ａ〜１１ｈの個数に対応した回数、すなわち本実施形態では４回となる。
【００３５】
本実施形態では基板ケース２を全く破損させずに正規の理由による取り外しができ、且基板ケース２を取り外すたびに基板ケース２の位置がずれるため、取り外したことを容易に認識することができる。また、基板ケース２の取り付け、取り外しをワンタッチで行うことができるので、作業性がよい。
【００３６】
なお、カシメフック取付孔２３に差し込まれたカシメフックは基板ケース内に収容されるので、カシメフックの爪１５を押して、不正に基板ケース２が固定台１から取り外されるおそれもなくなる。
【００３７】
所定回（本実施形態では４回）基板ケースを取り外し、全てのカシメフックが破壊された場合、新規の固定台に交換することにより、何度でも基板ケースを取り外すことができる。また、このとき、例えば固定台の色を交換回数に応じて設定したり、固定台に交換回数を示す数字を付すなどしておけば、基板ケースを取り外した回数を容易にカウントすることができる。
【００３８】
−第２の実施形態−
以下、図４および図５を参照して、本発明による遊技機用基板ケース取付装置の第２の実施形態について説明する。
【００３９】
第２の実施形態の遊技機用基板ケース取付装置は、図１に示す固定台１（図６および図９参照）を備える。第１の実施形態と同様、固定台１はプレート１０に形成された２つのねじ孔１２に貫通されるねじ１３により、遊技機に取り付けられる。
【００４０】
図４（ａ）は固定台１に対して取り付けられる基板ケース１０２を示す側面図であり、図４（ｂ）は基板ケース１０２の正面図である。基板ケース１０２は固定台１に対向して取り付けられるベース１２１と、ベース１２１に取り付けられるカバー１２２とを備える。図４（ａ）に示すように、ベース１２１およびカバー１２２の間に形成される空間には、例えばＲＯＭが実装された基板３が収容される。基板３は、基板３を貫通するねじ１３１およびねじ１３１が貫通されるスペーサ１３２を介してベース１２１とカバー１２２との間に挟み込まれるようにして取り付けられる。
【００４１】
図４（ｂ）に示すように、ベース１２１にはカシメフック１１ａ〜１１ｈを逃がすための８個の逃がし孔１２４ａ〜１２４ｈが形成されている。逃がし孔１２４ａ〜１２４ｈの配列ピッチはカシメフック１１ａ〜１１ｈの配列ピッチに対応している。
【００４２】
また、所定の逃がし孔１２４ａ〜１２４ｈには、カラー１２５が嵌合あるいは接着等により取り付けられる。カラー１２５には、第１の実施形態のカシメフック取付孔２３に相当する取付孔１２５ａが形成されている。
【００４３】
図５は固定台１に対する基板ケース１０２の取付方法を示す図であり、図４における下方側から見たカシメフック１１ａ〜１１ｈの周辺を示している。図５に示すように、カラー１２５が逃がし孔１２４ａおよび１２４ｅに嵌め込まれ、カラー１２５の取付孔１２５ａにカシメフック１１ａおよび１１ｅが挿入されることにより、基板ケース１０２が支持される。
【００４４】
第２の実施形態においても、第１の実施形態と同様、基板ケース１０２を固定台１に向けて押し込むだけで、カシメフック１１ａおよびカシメフック１１ｅの爪１５が変形してカシメフック１１ａ〜１１ｈよりも幅の狭い取付孔１２５ａに内に入り込む。爪１５が基板ケース１０２内に完全に入り込むと、復元力により元の状態に開いた爪１５が基板ケース１０２と係合するため、基板ケース１０２を固定台１から取り外すことができなくなる。
【００４５】
一方、カシメフック１１ａ〜１１ｈよりも幅の広い逃がし孔１２４には、その他のカシメフックの爪１５が基板ケース１０２に接触することなく挿入される。
【００４６】
正規の理由により基板ケース１０２を取り外す場合には、基板ケース１０２を手前に引くことによりカシメ状態にあるカシメフック１１ａおよびカシメフック１１ｅを破壊する。これにより、基板ケース１０２を固定板１から取り外すことができる。
【００４７】
再度、基板ケース１０２を固定板１に取り付ける場合には、カラー１２５を逃がし孔１２４ｂおよび１２４ｆに嵌め込み、基板ケース１０２を固定板１に向けて押し込む。これにより、カラー１２５の取付孔１２５ａにカシメフック１１ｂおよび１１ｆが係合する。このように、順次カラー１２５の嵌め込み位置をずらしていくことで、基板ケース１０２を所定回数（第２の実施形態では４回）着脱できる。
【００４８】
第２の実施形態では、対応するカシメフックに合せた位置にカラー１２５を嵌め込むようにしているので、基板ケース１０２の着脱を繰り返しても、基板ケース１０２の取付位置を不変にできる。
【００４９】
したがって、基板ケースを収納するスペースに基板ケースをずらすだけの余裕がない場合に好適である。
【００５０】
所定回（本実施形態では４回）基板ケースを取り外し、全てのカシメフックが破壊された場合、新規の固定台に交換することにより、何度でも基板ケースを取り外すことができる。また、このとき、例えば固定台の色を交換回数に応じて設定したり、固定台に交換回数を示す数字を付すなどしておけば、基板ケースを取り外した回数を容易にカウントすることができる。
【００５１】
上記第１および第２の実施形態では、基板ケースの側に孔を形成し、固定台１の側にカシメフックを設けるようにしているが、この関係を逆転させてもよい。
【００５２】
上記第２の実施の形態では、すべてのカシメフックの形状を同一のものとしているが、複数種類のカシメフックを設けるようにし、カラー１２５に相当する部材として各カシメフックに適合する複数種類のアダプターを用意してもよい。
【００５３】
また、アダプターの取付部を共通の１箇所とし、複数種類のアダプターを用意することにより、そのアダプターを適宜選択することによりカシメフック間の位置のずれを吸収し、基盤ケースを同一位置に位置付けるようにしてもよい。
【００５４】
上記実施形態および特許請求の範囲の記載において、「カシメフック１１ａ〜１１ｈ」が「突起」に、「カシメフック取付孔２３」が「差込部」に、「逃し孔１２４ａ〜１２４ｈ」が「差込部」に、「カラー１２５」が「アダプター」に、それぞれ対応する。
【００５５】
【発明の効果】
【００５６】
請求項１に記載の発明によれば、突起と差込部とが互いに係合することにより基板ケースが引き抜き不可能な状態となるので、不正に基板ケースを取り外したときの痕跡が残る。したがって、不正行為を効果的に防止できる。また、基板ケースを付け替えるたびに基板ケースの位置が変更されるため、基板ケースの取り外し回数を容易に認識することができる。
【００５７】
請求項４に記載の発明によれば、突起と逃がし孔とがアダプターを介して互いに係合することにより基板ケースが引き抜き不可能な状態となるので、不正に基板ケースを取り外したときの痕跡が残る。したがって、不正行為を効果的に防止できる。また、所定の逃がし孔に取り付けられたアダプターを介して所定の逃がし孔とこれに対応する所定の突起とが互いに係合するので、逃がし孔および突起の位置関係を調整することにより、基板ケースの取り付け位置を任意に設定することができる。
【図面の簡単な説明】
【図１】第１の実施形態の遊技機用基板ケース取付装置の固定台を示す斜視図。
【図２】第１の実施形態の遊戯機用基板ケース取付装置により取り付けられる基板ケースを示す図であり、（ａ）は側面図、（ｂ）はＢ−Ｂ線方向から見た正面図。
【図３】基板ケースを固定台に取り付けた状態を示す図であり、（ａ）は基板ケースを固定台に最初に取り付けた状態を示す図、（ｂ）は基板ケースを固定台に２回目に取り付けた状態を示す図。
【図４】第２の実施形態の遊戯機用基板ケース取付装置により取り付けられる基板ケースを示す図であり、（ａ）は側面図、（ｂ）はＢ−Ｂ線方向から見た正面図。
【図５】基板ケースを固定台に最初に取り付けた状態を示す図。
【図６】スロットマシンの前面扉を開いた様子を示す正面図。
【図７】前面扉を閉じた状態のスロットマシンを示す斜視図。
【図８】前面扉を閉じた状態のスロットマシンを示す正面図。
【図９】図５のＩＸ−ＩＸ線断面図。
【符号の説明】
１      固定台
２      基板ケース
３      基板
１１ａ〜１１ｈ  カシメフック（突起）
２３    カシメフック取付孔（差込部）
２４    逃し孔
１０２  基板ケース
１２４ａ〜１２４ｈ  逃し孔（差込部）
１２５  カラー（アダプター）
【図１】
0003845529.tif 000002
【図２】
0003845529.tif 000003
【図３】
0003845529.tif 000004
【図４】
0003845529.tif 000005
【図５】
0003845529.tif 000006
【図６】
0003845529.tif 000007
【図７】
0003845529.tif 000008
【図８】
0003845529.tif 000009
【図９】
0003845529.tif 000010